(57)【特許請求の範囲】
【請求項１】
コンベアベルトに載置された廃棄物を細かく粉砕した粉砕ワーク中の非磁性体をコンベアベルトの内周側に設置された回転する周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別方法において、少なくとも前記コンベアベルトと磁極ドラムとの懸回区域内における両者の相対回転速度を磁極ドラムの回転駆動を制御する制御装置により常時変更するように構成したことを特徴とする磁気空間フィルタを用いた選別方法。
【請求項２】
コンベアベルトに載置された廃棄物を細かく粉砕した粉砕ワーク中の非磁性体をコンベアベルトの内周側に設置された回転する周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別方法において、少なくとも前記コンベアベルトと磁極ドラムとの懸回区域内における磁極ドラムの磁極間の間隔を所定の幅にて常時変更するように構成したことを特徴とする磁気空間フィルタを用いた選別方法。
【請求項３】
コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別方法において、少なくとも前記コンベアベルトと磁極ドラムとの懸回区域内における磁極ドラムの周上の磁極の磁力の大きさを磁力制御装置によって常時変更させるように構成したことを特徴とする磁気空間フィルタを用いた選別方法。
【請求項４】
コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における両者の相対回転速度を常時変更するために、所定の速度にて回転する前記コンベアベルトと、該コンベアベルトとの懸回区域内においてコンベアベルトとの間の相対回転速度を磁極ドラムの回転駆動を制御する制御装置によって常時変更するように制御される磁極ドラムを回転自在に配置したことを特徴とする磁気空間フィルタを用いた選別機。
【請求項５】
コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における両者の相対回転速度を常時変更するために、所定の速度にて回転する前記磁極ドラムと、該磁極ドラムの懸回区域内において磁極ドラムとの間の相対回転速度をコンベアベルトを回転駆動する制御装置によって常時変更するように制御されるコンベアベルトを回転自在に配置したことを特徴とする磁気空間フィルタを用いた選別機。
【請求項６】
コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における磁極間の間隔を常時変更するために、前記コンベアベルトと磁極ドラムとを所定の速度にて回転するように構成するとともに、前記磁極ドラムを、間隔が可変な一対のアイドラおよび駆動輪間に張設したベルト式磁極ドラムにて構成して磁極間の間隔を所定の幅にて常時変更するように構成したことを特徴とする磁気空間フィルタを用いた選別機。
【請求項７】
コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における磁極の磁力の大きさを常時変更すりために、所定の速度にて回転する前記コンベアベルトと、該コンベアベルトとの懸回区域内において磁極ドラムの周上の磁極の磁力の大きさを磁力制御装置によって常時変更させるように構成した非回転の磁極ドラムを配置したことを特徴とする磁気空間フィルタを用いた選別機。
【発明の詳細な説明】
【０００１】
【発明の属する技術分野】
本発明は、コンベアベルトに載置された粉砕ワーク中の非磁性体をコンベアベルトの内周側に設置された回転する磁極ドラムの磁力により反発させて回収する磁気選別方法および選別機に関する。
【０００２】
【従来の技術】
産業廃棄物からの資源回収方法としては様々なものがあるが、数種類の金属を含む廃棄物から金属を選別回収する方法として、廃棄物を細かく粉砕した粉砕ワークをコンベアベルトにより移動させ、磁極による磁界内を通過させることによって、粉砕ワーク内から磁性体と非磁性体およびプラスチック等とを選別回収することが行われている。
図７に示すものは、そのような磁極を配設した磁気選別方法の１つの例で、コンベアベルト２１に載置された粉砕ワークＷ中の非磁性体粒子をコンベアベルト２１の内周側に設置された回転する磁極ドラム２２の磁力により反発させて回収するものである。
【０００３】
前記磁極ドラム２２の周上にはＮＳ極を交互に配置した多数の磁極２３が配設してあり、前記コンベアベルト２１と磁極ドラム２２との懸回区域内において、磁極ドラム２２の回転に伴う一対のＮＳ極間に形成された磁力線の移動によって粉砕ワークＷ中のアルミや銅等の非磁性体粒子を反発させてコンベアベルト２１から浮上させて回収容器Ａにて回収する。
コンベアベルト２１が磁極ドラム２２上でさらに回転すると、プラスチック等の磁界によって影響を受けない粒子は、鉛直位置に至って落下して回収容器Ｂにて回収される。
さらにコンベアベルト２１が回転し、磁極ドラム２２の磁力に吸引されていた鉄等の磁性体粒子は、コンベアベルト２１が磁極ドラム２２との懸回区域外となった時点にて落下して磁性体回収容器Ｃによって回収される。
【０００４】
一般に、前述したように、前記コンベアベルト２１と磁極ドラム２２との懸回区域内において、磁極ドラム２２の回転に伴う一対のＮＳ極間に形成された磁力線の移動によって粉砕ワークＷ中のアルミや銅等の非磁性体粒子を反発させてコンベアベルト２１から浮上させて回収する必要があることから、コンベアベルト２１の回転速度ｖと磁極ドラム２２の回転速度Ｖとを異ならせて所定の相対回転速度（Ｖ−ｖ）をもって廃棄物粒子の選別を行っている。
【０００５】
【発明が解決しようとする課題】
ところが、このような従来の磁気選別方法では、図８（Ａ）に示したように、コンベアベルト２１の回転速度ｖと磁極ドラム２２の回転速度Ｖとの間の相対回転速度（Ｖ−ｖ）は所定値（一定）で制御されるため、図８（Ｂ）に示すように、前記所定の相対速度（Ｖ−ｖ）によって磁性体ワークＷの粒子に作用する磁力Ｆについては、最も効率的な最大の磁力を生ずる粒子径Ｗφ＝Ｗ０であり、この粒子径Ｗφ＝Ｗ０を外れた小さい（１／３Ｗ０、１／５Ｗ０、１／７Ｗ０等）もの、あるいは大きい（３Ｗ０、５Ｗ０、７Ｗ０等）ものに作用する磁力は小さくなってしまい、その結果、粒子径Ｗφ＝Ｗ０近傍の磁性体ワーク粒子は反発させて選別することができるものの、これを外れた粒子径のものは選別することが不可能であった。
そこで、選別したい粒子径を選定するために、前記コンベアベルト２１と磁極ドラム２２との間の相対回転速度（Ｖ−ｖ）を変更させることも採用されているが、一度選別作業を行ったものを相対回転速度（Ｖ−ｖ）を変更して再選別するため、選別作業が長時間におよび作業効率が低劣であった。
【０００６】
そこで本発明は、従来の磁気選別方法における諸課題を解決して、最小の工程にて幅広い粒子径の非磁性体ワークを選別するとが可能な磁気空間フィルタを用いた選別方法および選別機を提供することを目的とする。
【０００７】
【課題を解決するための手段】
このため本発明は、コンベアベルトに載置された廃棄物を細かく粉砕した粉砕ワーク中の非磁性体をコンベアベルトの内周側に設置された回転する周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別方法において、少なくとも前記コンベアベルトと磁極ドラムとの懸回区域内における両者の相対回転速度を磁極ドラムの回転駆動を制御する制御装置により常時変更するように構成したことを特徴とするものである。また本発明は、コンベアベルトに載置された廃棄物を細かく粉砕した粉砕ワーク中の非磁性体をコンベアベルトの内周側に設置された回転する周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別方法において、少なくとも前記コンベアベルトと磁極ドラムとの懸回区域内における磁極ドラムの磁極間の間隔を所定の幅にて常時変更するように構成したことを特徴とするものである。また本発明は、コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別方法において、少なくとも前記コンベアベルトと磁極ドラムとの懸回区域内における磁極ドラムの周上の磁極の磁力の大きさを磁力制御装置によって常時変更させるように構成したことを特徴とするものである。また本発明は、コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における両者の相対回転速度を常時変更するために、所定の速度にて回転する前記コンベアベルトと、該コンベアベルトとの懸回区域内においてコンベアベルトとの間の相対回転速度を磁極ドラムの回転駆動を制御する制御装置によって常時変更するように制御される磁極ドラムを回転自在に配置したことを特徴とするものである。また本発明は、コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における両者の相対回転速度を常時変更するために、所定の速度にて回転する前記磁極ドラムと、該磁極ドラムの懸回区域内において磁極ドラムとの間の相対回転速度をコンベアベルトを回転駆動する制御装置によって常時変更するように制御されるコンベアベルトを回転自在に配置したことを特徴とするものである。また本発明は、コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における磁極間の間隔を常時変更するために、前記コンベアベルトと磁極ドラムとを所定の速度にて回転するように構成するとともに、前記磁極ドラムを、間隔が可変な一対のアイドラおよび駆動輪間に張設したベルト式磁極ドラムにて構成して磁極間の間隔を所定の幅にて常時変更するように構成したことを特徴とするものである。また本発明は、コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における磁極の磁力の大きさを常時変更すりために、所定の速度にて回転する前記コンベアベルトと、該コンベアベルトとの懸回区域内において磁極ドラムの周上の磁極の磁力の大きさを磁力制御装置によって常時変更させるように構成した非回転の磁極ドラムを配置したことを特徴とするもので、これらを課題解決のための手段とするものである。
【０００８】
【実施の形態】
以下本発明の実施の形態を図面に基づいて説明する。
図６に示したものは、磁気空間フィルタ（発明者命名）を説明するもので、光学的速度計測方式等において近年解析された、被測定物である対象物の移動方向に一定間隔で配列したスリット列が、一種の狭帯域空間フィルタとして作用することを利用したいわゆる空間フィルタ（東京工業大学  内藤、狼、小林：空間フィルタによる速度計測）と同様の考え方に拠るものである。
図６（Ａ）に示したものは、幅ｗのＮＳ磁極Ｍを交互に一定間隔（ピッチＰ＝２ｗ）で配列してスリット列を構成した磁界内を、スリット列の方向に移動する幅ｗの非磁性体Ｗに及ぼされる磁力Ｆについて経時的に考察したものである。
非磁性体Ｗが矢印のようにスリット列に進入してくると、第１番目の磁極Ｍと第２番目の磁極ＭのＮＳ磁極間における磁界によって反発される磁力Ｆは、非磁性体Ｗが第１番目の磁極Ｍと重なる最大値１までは進入の度合いに正比例して増大する。さらに移動して非磁性体Ｗが第１番目の磁極Ｍから離れて第２番目の磁極Ｍに進入せんとするまでは最大値１から０まで減少する。以下これを繰り返して三角波形の磁力曲線を描く。
【０００９】
図６（Ｂ）に示したものは、幅ｗのＮＳ磁極Ｍを交互に一定間隔（ピッチＰ＝２ｗ）で配列してスリット列を構成した磁界内を、スリット列の方向に移動する幅２ｗの非磁性体Ｗに及ぼされる磁力Ｆについて経時的に考察したものである。
非磁性体Ｗが矢印のようにスリット列に進入してくると、第１番目の磁極Ｍと第２番目の磁極ＭのＮＳ磁極間における磁界によって反発される磁力Ｆは、非磁性体Ｗが第１番目の磁極Ｍと重なる最大値１までは進入の度合いに正比例して増大する。さらに移動して非磁性体Ｗが第１番目の磁極Ｍから離れて第２番目の磁極Ｍに進入せんとするまでは最大値１のままでこれを維持する。さらに非磁性体Ｗが第２番目の磁極Ｍに進入すると、最大値１のままで第２番目の磁極Ｍにおける磁界によって進入の度合いに正比例して増大して磁力Ｆは最大値２を示す。以下これを繰り返す。
【００１０】
図６（Ｃ）に示したものは、幅ｗのＮＳ磁極Ｍを交互に一定間隔（ピッチＰ＝２ｗ）で配列してスリット列を構成した磁界内を、スリット列の方向に移動する幅３ｗの非磁性体Ｗに及ぼされる磁力Ｆについて経時的に考察したものである。
非磁性体Ｗが矢印のようにスリット列に進入してくると、第１番目の磁極Ｍと第２番目の磁極ＭのＮＳ磁極間における磁界によって反発される磁力Ｆは、非磁性体Ｗが第１番目の磁極Ｍと重なる最大値１までは進入の度合いに正比例して増大する。さらに移動して非磁性体Ｗが第１番目の磁極Ｍから離れて第２番目の磁極Ｍに進入せんとするまでは最大値１のままでこれを維持する。さらに非磁性体Ｗが第２番目の磁極Ｍに進入すると、最大値１のままで第２番目の磁極Ｍにおける磁界によって進入の度合いに正比例して増大して磁力Ｆは最大値２を示す。さらに非磁性体Ｗが移動して第３番目の磁極Ｍに進入すると、最大値２のままで第３番目の磁極Ｍにおける磁界によって進入の度合いに正比例して増大し、磁力Ｆ（磁力Ｆ＝（ｍ／μ）Ｂ、ここでｍ：電荷の強さ（ＷＢ）、μ：透磁率（Ｈ／ｍ）、Ｂ：磁束密度）は最大値３を示す。以下これを繰り返す。
また、図示はしないが前記非磁性体Ｗの幅がｗに満たないものでは、幅ｗのＮＳ磁極Ｍを交互に一定間隔（ピッチＰ＝２ｗ）で配列してスリット列を構成した磁界内を非磁性体Ｗがスリット列の方向に移動する場合は、非磁性体Ｗに及ぼされる磁力Ｆは最大値が１より小さい図６（Ａ）と同様の三角波形の磁力曲線を描く。
なお、非磁性体とは磁化率の良くないものを言い、通常、常磁性体（＋の磁化率を有するもの、例  Ａｌ：２．１４×１０-4）と反磁性体（−の磁化率を有するもの、例  Ｃｕ：−０．９４×１０-5）とに分けられる。このことから、後述する図１（Ａ）における非磁性体回収容器Ａにて回収されるＡｌとＣｕとを反発されての飛散距離の差によって選別することも可能である。
【００１１】
以上の考察により、所定の幅の磁極Ｍを所定のピッチにて配列したスリット列の磁界に対して、該スリット列の配列方向に所定幅の非磁性体Ｗを移動させることによって、所定の反発磁力が得られることが理解される。
ここで、注目すべきことは、図６（Ａ）（Ｂ）（Ｃ）のいずれの場合においても、磁力Ｆの変化は１であり、図６（Ｂ）（Ｃ）に比較して図６（Ａ）の場合が最も効率的であることである。
本発明は、この点に着目し、所定の幅すなわち磁性体の大きさ（粒子径）に対して最も効率的な反発磁力を得るために、スリット列における見かけ上の磁極Ｍの幅とピッチＰを最適なものとするために、磁性体と磁極のスリット列との間の相対移動速度を常時変更するように構成したものであり、これにより、磁性体ワークの粒子径の大きさに応じた効率的な反発磁力を常に得るようにして、図４に示すように、小さな粒子径のものから大きな粒子径のものまで一様に効率的な磁力による選別を可能にした磁気空間フィルタを用いた選別方法および選別機を提供するものである。
【００１２】
図１は本発明における磁気空間フィルタを用いた選別方法および選別機の第１実施の形態を示す要部側面図である。
本発明は、コンベアベルトに載置された粉砕ワーク中の非磁性体をコンベアベルトの内周側に設置された回転する磁極ドラムの磁力により反発させて回収する磁気選別方法において、少なくとも前記コンベアベルトと磁極ドラムとの懸回区域内における両者の相対回転数を所定の幅にて常時変更するように構成したことを特徴とする（磁気ドラムは正転制御、逆転制御が自在な制御方式とされる。）磁気空間フィルタを用いた選別方法にあり、本実施の形態のものでは、コンベアベルト１に載置された粉砕ワークＷ中の非磁性体をコンベアベルト１の内周側に設置された磁極ドラム２の磁力により反発させて回収する磁気選別機として、所定の速度ｖ（一定）にて回転するコンベアベルト１と、該コンベアベルト１との懸回区域内においてコンベアベルト１との間の相対回転速度を所定の幅にて常時変更するように制御される磁極ドラム２を回転自在に配置したことを特徴とする。
すなわち、コンベアベルト１との懸回区域内において磁極ドラム２の回転速度を可変速度Ｖ（ｔ）としたものである。つまり、コンベアベルト１と磁極ドラム２との間の相対回転速度Ｖ（ｔ）−ｖが磁極ドラム２の回転駆動を制御する制御装置４によって常時変更される。
このような微小時間（略０．５秒程度の間）に回転速度を変更する制御は、サーボモータとコントローラを利用して、コンベアベルトと磁極ドラムの両方を制御する。磁極ドラムは細かい粉砕ワークを除去するときは逆転制御される。
【００１３】
かくして、コンベアベルト１との磁極ドラム２との懸回区域内において両者の相対回転速度Ｖ（ｔ）−ｖが常時変更制御されることにより、コンベアベルト１に載置された粉砕ワークＷ中における大中小のいずれの非磁性体粒子も効果的に反発されて飛び出し、高い選別能力により粉砕ワークＷから非磁性体が選別されて非磁性体回収容器Ａに回収される。
コンベアベルト１が磁極ドラム２上でさらに回転すると、プラスチック等の磁界によって影響を受けない粒子は、鉛直位置に至って落下して回収容器Ｂにて回収される。
さらにコンベアベルト１が回転し、磁極ドラム２の磁力に吸引されていた鉄等の磁性体粒子は、コンベアベルト１が磁極ドラム２との懸回区域外となった時点にて落下して磁性体回収容器Ｃによって回収される。
【００１４】
図２は本発明における磁気空間フィルタを用いた選別方法および選別機の第２実施の形態を示す要部側面図である。
本実施の形態では、少なくともコンベアベルト１と磁極ドラム２との懸回区域内における両者の相対回転数を所定の幅にて常時変更するものとして、所定の速度Ｖ（一定）にて回転する前記磁極ドラム２と、該磁極ドラム２の懸回区域内において磁極ドラム２との間の相対回転速度Ｖ−ｖ（ｔ）を所定の幅にて常時変更するように制御されるコンベアベルト１を回転自在に配置して磁気空間フィルタを用いた選別機を構成したものである。
つまり、コンベアベルト１を回転駆動するコンベアスプロケット５の回転数を制御装置６によって常時変更して可変速度ｖ（ｔ）を得るものである。
これによって、コンベアベルト１に載置された粉砕ワークＷ中における大中小のいずれの非磁性体粒子も効果的に反発されて飛び出し、高い選別能力により粉砕ワークＷから非磁性体が選別されて非磁性体回収容器Ａに回収される。
【００１５】
図３は本発明における磁気空間フィルタを用いた選別方法および選別機の第３実施の形態を示す側面図および要部拡大図である。
本実施の形態では、前記コンベアベルトと磁極ドラムとの懸回区域内における両者の相対回転数を所定の幅にて常時変更する構成として、少なくとも前記コンベアベルトと磁極ドラムとの懸回区域内における磁極ドラムの磁極間の間隔を所定の幅にて常時変更するように構成したものである。
詳述すると、図３（Ａ）に示したように、一対のコンベアアイドラ１３とコンベア駆動輪１４との間に張設されたコンベアベルト１に載置された粉砕ワーク中の非磁性体をコンベアベルト１の内周側に設置された磁極ドラム７の磁力により反発させて回収する磁気選別機において、前記コンベアベルト１と磁極ドラム７とを所定の速度（それぞれｖとＶ）にて回転するように構成するとともに、前記磁極ドラム７を間隔が可変な一対のアイドラ８および駆動輪９間に張設したベルト式磁極ドラム７にて構成して磁極１１、１１間の間隔を所定の幅にて常時変更するように構成したものである。
【００１６】
図３（Ａ）のＡ部の拡大図である図３（Ｂ）に示すように、ベルト式磁極ドラム７は磁極１１、１１間を非磁性体等からなるスプリング部材により連結されて無端リング状に形成されて一対のアイドラ８および駆動輪９間に張設され、これらのアイドラ８と駆動輪９との間には図示省略の制御装置により伸縮動作を繰り返す伸縮シリンダ１０が配設されている。
これにより、伸縮シリンダ１０が縮んだ実線の状態（磁極間ピッチＰ０）と、伸長した鎖線の状態（磁極間ピッチＰ１：Ｐ１＞Ｐ０）とを細かな振動形態にて伸縮するものである。
かくして、前記コンベアベルト１と磁極ドラム７とはそれぞれｖとＶの所定の一定速度にて回転して、一定の相対回転速度Ｖ−ｖが保たれているものの、前記伸縮シリンダ１０の伸縮動作が繰り返されることによって、ベルト式磁極ドラム７は磁極１１、１１間の間隔が絶えず変化し、コンベアベルト１に載置された粉砕ワーク中の非磁性体の粒子径の大中小全ての大きさに対する磁気空間フィルタ特性を最適な効率のものに選定することができるので、粉砕ワークＷからの非磁性体の選別能力を高めることが可能となる。
なお、本実施の形態では、反発してコンベアベルト１から浮上して選別された非磁性体ワークは、コンベアベルト１と同期して移動する無端ベルトに設置された多数の回収容器等により回収することができる。
【００１７】
図５は本発明における磁気空間フィルタを用いた選別方法および選別機の第４実施の形態を示す要部側面図である。
前述した各実施の形態のものがコンベアベルトと磁極ドラムとの懸回区域内における両者の相対回転数を所定の幅にて常時変更する構成であったのに対して、本実施の形態のものは、コンベアベルトに載置された粉砕ワーク中の非磁性体をコンベアベルトの内周側に設置された磁極ドラムの磁力により反発させて回収する磁気選別方法において、少なくとも前記コンベアベルトと磁極ドラムとの懸回区域内における磁力の大きさを所定の幅にて常時変更するように構成したことを特徴とするもので、具体例としては、所定の速度ｖにて回転するコンベアベルト１と、該コンベアベルト１との懸回区域内において磁力の大きさを所定の幅にて常時変更するように構成した非回転の磁極ドラム１５を配置したものである。
磁極ドラム１５は非回転で床面に固定され、磁力制御装置１７によって磁極ドラム１５の周上に配置された多数の電磁石からなる磁極１６の磁力を変化させることにより、移動するコンベアベルト１に載置された粉砕ワーク中の非磁性体の粒子径の大中小全ての大きさに対する磁気空間フィルタ特性を最適な効率のものに選定して、粉砕ワークＷからの非磁性体の選別能力を高めることができる。
【００１８】
以上、本発明の実施の形態を説明してきたが、本発明の趣旨の範囲内で、コンベアベルトの形状およびその駆動形態、磁極ドラムの形状およびその駆動形態、コンベアベルトおよび磁極ドラム回転速度制御形態、ベルト式磁極ドラムの形状およびその駆動形態ならびにその伸縮制御形態、磁力制御装置の形式等に関しては適宜採用できるものである。
【００１９】
【発明の効果】
以上、詳細に説明したように、本発明によれば、コンベアベルトに載置された廃棄物を細かく粉砕した粉砕ワーク中の非磁性体をコンベアベルトの内周側に設置された回転する周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別方法において、少なくとも前記コンベアベルトと磁極ドラムとの懸回区域内における両者の相対回転速度を磁極ドラムの回転駆動を制御する制御装置により常時変更するように構成したことにより、コンベアベルトと磁極ドラムとの懸回区域内においてコンベアベルトに載置された粉砕ワーク中の非磁性体の粒子径の大中小全ての大きさに対して最も効率的な最大の磁力を生ぜしめて磁気空間フィルタ特性を発揮させ、最も少ない１工程のみにて幅広い粒子径の大きさのものを効率よく反発させることが可能となり、粉砕ワークからの非磁性体の選別能力を格段に高めることができる。
また、コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における両者の相対回転速度を常時変更するために、所定の速度にて回転する前記コンベアベルトと、該コンベアベルトとの懸回区域内においてコンベアベルトとの間の相対回転速度を磁極ドラムの回転駆動を制御する制御装置によって常時変更するように制御される磁極ドラムを回転自在に配置したものでは、コンベアベルトを一定速度にて粉砕ワークを安定して移動させつつ、磁力ドラム側の回転速度を常時変更させることで、幅広い粒子径の大きさのものを効率よく反発させることで、粉砕ワークからの非磁性体の選別能力を格段に高めることができる。
【００２０】
さらに、コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における両者の相対回転速度を常時変更するために、所定の速度にて回転する前記磁極ドラムと、該磁極ドラムの懸回区域内において磁極ドラムとの間の相対回転速度をコンベアベルトを回転駆動する制御装置によって常時変更するように制御されるコンベアベルトを回転自在に配置したものでは、粉砕ワークを載置したコンベアベルト側の回転速度を常時変更させるので、加減速度をもって変化するコンベアベルトの挙動に伴って粉砕ワークを平らに均すことができて、所定の速度にて回転する磁極ドラムの磁極による非磁性体粒子の反発しての選別がより容易となる。
さらにまた、コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における磁極間の間隔を常時変更するために、前記コンベアベルトと磁極ドラムとを所定の速度にて回転するように構成するとともに、前記磁極ドラムを、間隔が可変な一対のアイドラおよび駆動輪間に張設したベルト式磁極ドラムにて構成して磁極間の間隔を所定の幅にて常時変更するように構成したものでは、前記コンベアベルトと磁極ドラムとはそれぞれ所定の一定速度にて回転させればよく、回転制御が簡単である上、比較的制御が容易な伸縮シリンダの伸縮動作によってベルト式磁極ドラムにおける磁極間の間隔を絶えず変化させることで、コンベアベルトに載置された粉砕ワーク中の非磁性体の粒子径の大中小全ての大きさに対する磁気空間フィルタ特性を最適な効率のものに選定して、粉砕ワークからの非磁性体の選別能力を高めることが可能となる。
【００２１】
また、コンベアベルトに載置された廃棄物を細かく粉砕した粉砕ワーク中の非磁性体をコンベアベルトの内周側に設置された周上にＮＳ極を交互に配置した多数の磁極を配設した磁極ドラムの磁力により反発させて回収する、ＮＳ極を一定間隔で交互に配列してスリット列を構成した磁気空間フィルタを用いた磁気選別機において、少なくとも前記コンベアベルトと磁極ドラムとの懸回区域内における磁極の磁力の大きさを常時変更するために、所定の速度にて回転する前記コンベアベルトと、該コンベアベルトとの懸回区域内において磁極ドラムの周上の磁極の磁力の大きさを磁力制御装置によって変化させるように構成した非回転の磁極ドラムを配置したものでは、磁極ドラムは非回転で床面に安定して固定され、磁力制御装置によって磁極ドラムの周上に配置された多数の電磁石からなる磁極の磁力を変化させるだけで、移動するコンベアベルトに載置された粉砕ワーク中の非磁性体の粒子径の大中小全ての大きさに対する磁気空間フィルタ特性を最適な効率のものに選定して、粉砕ワークからの非磁性体の選別能力を高めることができる。このように、本発明によれば、最小の工程にて幅広い粒子径の非磁性体ワークを選別するとが可能な磁気空間フィルタを用いた選別方法および選別機が提供される。
【図面の簡単な説明】
【図１】本発明における磁気空間フィルタを用いた選別方法および選別機の第１実施の形態を示す要部側面図である。
【図２】本発明における磁気空間フィルタを用いた選別方法および選別機の第２実施の形態を示す要部側面図である。
【図３】本発明における磁気空間フィルタを用いた選別方法および選別機の第３実施の形態を示す側面図および要部拡大図である。
【図４】本発明における磁気空間フィルタ特性を示す図である。
【図５】本発明における磁気空間フィルタを用いた選別方法および選別機の第４実施の形態を示す要部側面図である。
【図６】磁気空間フィルタ原理を説明する図である。
【図７】従来の磁気選別装置を示す要部側面図である。
【図８】従来の磁気選別装置における磁力効率を示す図である。
【符号の説明】
１      コンベアベルト
２      磁極ドラム
３      磁極
４      制御装置
５      コンベアスプロケット
６      制御装置
７      ベルト式磁極ドラム
８      アイドラ
９      駆動輪
１０      伸縮シリンダ
１１      磁極
１２      スプリング
１３      コンベアアイドラ
１４      コンベア駆動輪
１５      磁極ドラム
１６      磁極（電磁石）
１７      磁力制御装置
Ａ      非磁性体選別皿
Ｂ      プラスチック等選別皿
Ｃ      磁性体選別皿
Ｗ      粉砕ワーク
【図１】
0004657399.tif 000002
【図２】
0004657399.tif 000003
【図３】
0004657399.tif 000004
【図４】
0004657399.tif 000005
【図５】
0004657399.tif 000006
【図６】
0004657399.tif 000007
【図７】
0004657399.tif 000008
【図８】
0004657399.tif 000009